(57)【要約】【課題】安価であり、作業性がよく、出っ張りが少なく見栄えもよいケーブル配線カバーを得る。【解決手段】壁、床、天井等の取付面７にケーブルを保持する本考案ケーブル配線カバー１は、とぐろ巻きできる柔軟な材料で押し出し成形したスリット入り中空体とする。下部に幅狭の縦方向スリットがある包囲部３と、スリットの一方の端縁側から側外方に突出する平坦フランジ部４とを有する形状にする。好適には、取付面の色にコーディネイトさせた色で着色して押し出し成形する。施工にあたり、適切な長さにカットしたケーブル配線カバー１の端部から、包囲部３の内部空間に、予め配線すべきケーブル５を挿入する。ケーブル５を包囲部３の内部空間に挿入した後、ホッチキスのようなタッカでフランジ部４にステープル６を打ち込んで、壁、床、天井等の取付面７に固定する。【選択図】図３
0003104837.tif 000002
【実用新案登録請求の範囲】
【請求項１】
壁、床、天井等の取付面にケーブルを保持するケーブル配線カバーにおいて、とぐろ巻きできる柔軟な材料で押し出し成形したスリット入り中空体であり、下部に幅狭の縦方向スリットがある包囲部と、縦方向スリットの一方の端縁側から側外方に突出する平坦フランジ部とを有する形状にしたことを特徴とするケーブル配線カバー。
【請求項２】
前記包囲部を丸い断面形状にした請求項１記載のケーブル配線カバー。
【請求項３】
前記包囲部を矩形断面形状にした請求項１記載のケーブル配線カバー。
【請求項４】
取付面の色にコーディネイトさせた色で着色して押し出し成形した請求項１乃至３のうちのいずれか一項に記載のケーブル配線カバー。
【考案の詳細な説明】
【技術分野】
【０００１】
本考案は、壁、床、天井等の取付面にケーブルを保持するケーブル配線カバーに関するものである。
【背景技術】
【０００２】
従来、このようなケーブル配線カバーとしては、コの字状ハーフを向かい合わせに嵌め合わせ、一方のコの字状ハーフの底面に両面テープを設けた比較的剛性のあるプラスチック製のモールがある。（例えば、非特許文献１参照。）使用にあたり、両面テープを設けたコの字状ハーフの粘着面シールカバーを剥ぎ取って配線しようとする壁面に付着させ、次にこのコの字状ハーフの溝内にケーブルを敷設し、最後に他方のコの字状ハーフを嵌め合わせる。
【非特許文献１】（株）ハギテック、光関連部品＼オプトモール、［平成１６年４月２０日検索］、インターネット＜http://www.hagitec.co.jp/saioputomoru.htm＞
【考案の開示】
【考案が解決しようとする課題】
【０００３】
しかし、このような従来のケーブル配線カバーは、２部分構成であり、しかも一方のハーフには両面テープを付着させる製造工程が必要であるため、コストが高いという欠点がある。また、施工にあたり、粘着面シールカバーを剥がし、粘着側ハーフを取付面に接着した後、カバーハーフを剥がしてケーブルを挿入し、最後にカバーハーフを再び嵌め合わせるという作業が必要となるので、作業性が悪い。さらに、壁面からの出っ張りが大きく見栄えが悪く、しかもコーナーでの継ぎ目をカバーしようとすると、注意深く寸法取りをしなければならず、又は専用のコーナー用モールを別途必要とし、従って、コストが高くなる。
【０００４】
従って、本考案の目的は、安価であり、作業性がよく、出っ張りが少なくて見栄えもよいケーブル配線カバーを得るにある。
【課題を解決するための手段】
【０００５】
この目的を達成するため、本考案は、とぐろ巻きできる柔軟な材料で押し出し成形したスリット入り中空体であり、下部に幅狭の縦方向スリットがある包囲部と、縦方向スリットの一方の端縁側から側外方に突出する平坦フランジ部とを有する形状にしたことを特徴とする。
【考案の効果】
【０００６】
本考案ケーブル配線カバーによれば、とぐろ巻きできる柔軟な材質であるため、かさばることなく、保管運搬に都合がよく、またコーナーに沿って曲がることができるため、見栄えがよくなる。しかも、従来の剛性のあるモールのように大きく出っ張ることもない。さらに、取付面への固定は、ホッチキスのようなタッカによるステープル止めで簡単に作業することができる。
【考案を実施するための最良の形態】
【０００７】
本考案の好適な実施例においては包囲部を丸い断面形状とする。また、包囲部は、他の任意の断面形状、例えば、矩形断面形状にすることもできる。
さらに、本考案の好適な実施例においては、取り付ける壁面又は床面の色にコーディネイトさせた色、例えば、ミルキーホワイト又はブラウンで着色して押し出し成形する。
【実施例】
【０００８】
本考案ケーブル配線カバー１は、図１に示すように、とぐろ巻きにして保管できる柔軟な材質、例えば、軟質塩化ビニール等のエラストマー材料で押し出し成形したスリット入り中空体とする。図２（ａ）および（ｂ）の横断面図に示すように、本考案ケーブル配線カバー１は、下部に幅狭の縦方向スリット２がある包囲部３と、縦方向スリット２の一方の端縁側から側外方に突出する平坦フランジ部４とを有する形状である。図２（ａ）には包囲部３が丸い断面形状の実施例、図２（ｂ）には包囲部３が矩形断面形状の実施例を示すが、他の断面形状にしてもよい。
【０００９】
最初に施工するにあたり、適切な長さにカットしたケーブル配線カバー１の端部から、包囲部３の内部空間に、予め配線すべきケーブル５を挿入すると作業が楽である。ケーブル５を包囲部３の内部空間に挿入した後、ホッチキスのようなタッカ（図示せず）によるステープルが打ち込める箇所では、図３に示すように、フランジ部４にタッカによってステープル６を打ち込むことにより、簡単かつ即座に、ケーブル５を挿通したケーブル配線カバー１を壁、床、天井等の取付面７に固定することができる。
【００１０】
曲折させる場合には、図３の上部に示すように、湾曲する部分でフランジ部４を鋸歯状にカットしたり、または、図３下部に示すように、湾曲する部分でフランジ部４全体をカットしたりすることにより、フランジ部４のゆがみを排除して見栄えをよくすることができる。敷設後に、ケーブル５以外の別のケーブルもカバー内に収納したい場合は、縦方向スリット２からケーブルを横方向に押し込む。
【００１１】
施工にあたり、取付面の色にコーディネイトさせた色、例えば、ミルキーホワイト又はブラウンのケーブル配線カバー１を使用する。この場合、ステープルの色もコーディネイトさせる。更に、収納するケーブルの大きさ、収納するケーブルの数に応じた大きさのケーブル配線カバーを用意する。
【産業上の利用可能性】
【００１２】
本考案ケーブル配線カバーは、主に、幹線から分岐した光ケーブルを各家庭の壁、床、天井等の取付面に配線するとき、光ケーブルを保護しつつ配線するのに利用することができる。しかし、光ケーブル以外の他のケーブル、また、複数個のケーブルをまとめて収納することもできる。
【図面の簡単な説明】
【００１３】
【図１】本考案ケーブル配線カバーをとぐろ巻きにした状態を示す説明図である。
【図２】本考案ケーブル配線カバーの横断面図であり、（ａ）は包囲部が丸い断面形状の実施例、（ｂ）は包囲部が矩形断面形状の実施例を示す。
【図３】本考案ケーブル配線カバーを配線した施工例を示す平面図である。
【符号の説明】
【００１４】
１  ケーブル配線カバー
２  縦方向スリット
３  包囲部
４  フランジ部
５  ケーブル
６  ステープル
７  取付面
【図１】
0003104837.tif 000003
【図２】
0003104837.tif 000004
【図３】
0003104837.tif 000005